(57)【要約】【課題】  通常、従来の自動車、自動三輪車、ミニカー、自動二輪車、原動機付自転車等には、方向指示器が装備されている。特に自動二輪車及び原動機付自転車では方向指示灯の点滅が手動で操作され、自動的にキャンセルされる機能を有していないため、その役割を終えた後でも方向指示灯を消灯し忘れて点滅させたまま走行させている場合が多く、周囲の誤解を招き、交通事故を誘発している。自動車、自動三輪車、ミニカー、自動二輪車及び原動機付自転車等の走行に関して方向指示灯の消し忘れに誘発されるこれらの交通事故を未然に防ぎたい。【解決手段】  前記の課題解決のために、傾斜スイッチやタイマーを従来の方向指示器のキャンセル機構などに組み込んだ方向指示器自動キャンセル装置を自動車、自動三輪車、ミニカー、自動二輪車及び原動機付自転車等に搭載させる事により、運転者が方向指示器を使用するさい、方向指示器の役割を終えた後の方向指示灯の消し忘れを補う。【選択図】図２
2007137398.tif 000002
【特許請求の範囲】
【請求項１】
役割を終えた方向指示灯の点滅を自動的に停止させる装置を搭載した車両。
【請求項２】
請求項１のうち、役割を終えた方向指示灯の点滅を自動的に停止させる装置を搭載した自動車。
【請求項３】
請求項１のうち、役割を終えた方向指示灯の点滅を自動的に停止させる装置を搭載した自動三輪車。
【請求項４】
請求項１のうち、役割を終えた方向指示灯の点滅を自動的に停止させる装置を搭載したミニカー。
【請求項５】
請求項１のうち、役割を終えた方向指示灯の点滅を自動的に停止させる装置を搭載した自動二輪車。
【請求項６】
請求項１のうち、役割を終えた方向指示灯の点滅を自動的に停止させる装置を搭載した原動機付自転車。
【請求項７】
上記の請求項１、請求項２、請求項３、請求項４、請求項５及び請求項６に搭載される方向指示灯の点滅を自動的に停止させる装置。
【発明の詳細な説明】
【技術分野】
【０００１】  本発明は自動車、自動三輪車、ミニカー、自動二輪車及び原動機付自転車等の方向指示器に関するものである。
【背景技術】
【０００２】  道路を通行する殆どの車両には方向指示器が装備されており、右折、左折、Ｕターン、車線変更等の折に活用されている。【０００３】  特に自動二輪車や原動機付自転車には通常、力向指示器が装備されているが、自動的にキャンセルされないので、方向指示器の役割を終えても方向指示灯を点滅させたまま走行している例が多く見受けられる。
【発明の開示】
【発明が解決しようとする課題】
【０００４】  右折、左折、Ｕターン、車線変更等が終了して方向指示器の役割を終えても、キャンセル操作を失念するなどで方向指示灯がまだ点滅したままであると周囲の誤解を招き、交通事故を誘発している。【０００５】  本発明は、自動車、自動三輪車、ミニカー、自動二輪車及び原動機付自転車等における方向指示器の従来の機能に自動キャンセル機能を付加させ、上記のような交通事故を未然に防ぐものである。
【発明の効果】
【０００６】  本発明によれば、傾斜スイッチやタイマーを方向指示器のキャンセル機構などに組み込むことにより、運転者が自動車、自動三輪車、ミニカー、自動二輪車及び原動機付自転車等の方向指示器を使用するさい、方向指示器の役割を終えた後の方向指示灯の消し忘れを補える。
【実施例】
【０００７】  本発明の一実施例を自動二輪車について以下に示す。本発明による方向指示器自動キャンセル装置は、既設の方向指示灯、ウインカースイッチ、方向指示器手動キャンセルスイッチ、方向指示灯制御回路、新たに組み込む傾斜スイッチ及び傾斜スイッチ装置自動キャンセルスイッチから成る傾斜系、タイマー及びタイマー自動キャンセルスイッチから成るタイマー系の何れの系一方か又は双方の系で構成される。図１は本発明による方向指示器自動キャンセル装置を搭載した自動二輪車である。【０００８】  通常、自動二輪車には方向指示器が備えられており、方向転換の事前に、ウインカースイッチを手動でオン状態にして方向指示灯を点滅させ、方向転換を終えた時点で方向指示器手動キャンセルスイッチを作動させて方向指示灯の点滅を停止させるとともに次の方向指示灯の点滅に備える機能を復帰させるようになっている。【０００９】  自動二輪車は直進走行の時にはほぼ直立しているが、方向転換や車線変更の際には左右の何れかに傾斜して走行し、方向転換終了時にはまた直立して走行する。【００１０】  例えば、傾斜スイッチを自動二輪車に装備し、傾斜スイッチの信号を既設の方向指示器手動キャンセルスイッチに平行に投入できるように配線し、傾斜スイッチがオン状態からオフ状態に切り替わった信号で傾斜スイッチ装置自動キャンセルスイッチを電気的に作動させるようにする。即ち、自動二輪車の傾斜角が方向転換時にある傾斜角に至ると傾斜スイッチがオン状態となり、方向転換後自動二輪車が直立した時点でその傾斜スイッチがオフ状態となるように設定し、オン状態からオフ状態に切り替わる信号により傾斜スイッチ装置自動キャンセルスイッチを電気的に作動させ、方向指示灯を消灯させる。これらの方向指示灯、方向指示器手動キャンセルスイッチ、傾斜スイッチ装置自動キャンセルスイッチ及び方向指示灯制御回路の結線図を図２のＡに、方向指示灯、傾斜スイッチ、傾斜スイッチ装置自動キャンセルスイッチのオン・オフ動作のタイムチャートを図３のＡにそれぞれ示す。【００１１】  ００１０では方向転換時の自動二輪車の傾斜に着目したが、傾斜スイッチの代わりにタイマーを用いても本発明の目的は達せられる。すなわち、方向指示器のウインカースイッチをオン状態にすると同時にタイマーをオン状態にし、タイマーの設定時間が経過してオフ状態になるとその信号によって、タイマー自動キャンセルスイッチを作動させても良い。これらの方向指示灯、方向指示器手動キャンセルスイッチ、タイマー自動キャンセルスイッチ及び方向指示灯制御回路の結線図を図２のＢに，方向指示灯、タイマースイッチ、タイマー自動キャンセルスイッチのオン・オフ動作のタイムチャートを図３のＢにそれぞれ示す。【００１２】  更に方向転換時の自動二輪車の傾斜とウインカースイッチ起動後の経過時間の双方に着目して、傾斜スイッチとタイマーを併用させ、それぞれの自動キャンセルスイッチを何れか個別に、または双方同時に作動させても本発明の目的は達成できる。これらの方向指示灯、方向指示器手動キャンセルスイッチ、傾斜スイッチ装置自動キャンセルスイッチ、タイマー自動キャンセルスイッチ及び方向指示灯制御回路の結線図を図２のＣに，方向指示灯、傾斜スイッチ、タイマースイッチ、傾斜スイッチ装置自動キャンセルスイッチ及びタイマー自動キャンセルスイッチのオン・オフ動作のタイムチャートを図３のＣにそれぞれ示す。尚、図３のＣではタイマーのオン状態からオフ状態に切り替わる時点が傾斜スイッチのオン状態からオフ状態に切り替わる時点と一致している例を示しているが、これらの時点が一致していなくても構わない。
【図面の簡単な説明】
【００１３】
【図１】本発明の請求項５の方向指示器自動キャンセル装置を搭載した自動二輪車。
【図２】本発明の請求項７の方向指示器自動キャンセル装置を構成する方向指示灯、方向指示器手動キャンセルスイッチ、傾斜スイッチ装置自動キャンセルスイッチ、タイマー自動キャンセルスイッチ及び方向指示灯制御回路の結線図。
【図３】本発明の請求項７の方向指示灯、傾斜スイッチ、傾斜スイッチ装置自動キャンセルスイッチ、タイマースイッチ及びタイマー自動キャンセルスイッチのオン・オフ動作のタイムチャート。
【符号の説明】
【００１４】１・・・方向指示器自動キャンセル装置搭載自動二輪車
２・・・方向指示器手動キャンセルスイッチボタン（既設）
３・・・傾斜スイッチ装置
４・・・タイマー
５・・・方向指示灯（既設）
６・・・方向指示器手動キャンセルスイッチ（既設）
７・・・傾斜スイッチ
８・・・傾斜スイッチ装置自動キャンセルスイッチ
９・・・タイマースイッチ
１０・・・タイマー自動キャンセルスイッチ
１１・・・方向指示灯制御回路（既設）
【図１】
2007137398.tif 000003
【図２】
2007137398.tif 000004
【図３】
2007137398.tif 000005